(57)【特許請求の範囲】
【請求項１】
本体ボデーと、該本体ボデーに設けられた吐止水操作部と、該吐止水操作部とは反対側において該本体ボデーに設けられた吐水口とを有し、該本体ボデーには該吐水口に連通する主水路と、該主水路を開閉する主弁と、該主弁を水圧により閉弁方向に押圧するための背圧室と、該背圧室と前記主水路の前記主弁の下流部とを連通させる該主弁操作用のパイロット水路とが内部に設けられているとともに該パイロット水路を開閉するパイロット弁が設けられており、前記吐止水操作部による該パイロット弁の開閉操作により前記吐水口からの吐水と止水とを行う吐水装置において、
前記本体ボデーを、前記吐止水操作部側の第１分割体と前記吐水口側の第２分割体とに分割した上で、それら第１分割体及び第２分割体を前記パイロット水路の連通を確保しつつ相対的に回転可能となしたことを特徴とする吐水装置。
【請求項２】
請求項１において、前記吐水口と同じ前記第２分割体の側に該吐水口への給水用の配管の接続口が設けてあることを特徴とする吐水装置。
【請求項３】
請求項１，２の何れかにおいて、前記本体ボデーにおける前記吐水口側の第２分割体に前記主水路が、前記吐止水操作部側の第１分割体に前記パイロット弁が設けてあって、前記パイロット水路が該第１分割体と第２分割体とにまたがって形成されており、
且つ該パイロット水路の前記第１分割体側の水路部分と前記第２分割体側の水路部分とが該第１分割体，第２分割体の分割面でそれぞれ開口していて該開口部で接続されているとともに、少なくとも何れか一方の開口が周方向に連続した周溝となしてあることを特徴とする吐水装置。
【請求項４】
請求項３において、前記周溝が円周溝であることを特徴とする吐水装置。
【請求項５】
請求項１〜４の何れかにおいて、前記パイロット水路が前記本体ボデーに形成した凹部にて形成してあることを特徴とする吐水装置。
【請求項６】
請求項１〜５の何れかにおいて、前記吐止水操作部が押込式のスイッチ操作部として構成してあることを特徴とする吐水装置。
【請求項７】
請求項６において、前記吐止水操作部が、互いに反対側の端部を押込操作することで吐水操作と止水操作とを行うシーソー式のスイッチ操作部となしてあることを特徴とする吐水装置。
【発明の詳細な説明】
【０００１】
【発明の属する技術分野】
この発明は吐水装置に関し、特に吐止水操作部がスイッチ操作式の吐水装置に適用して好適な吐水装置に関する。
【０００２】
【従来の技術】
従来、吐止水操作部の操作によって吐水口からの吐水と止水とを行う吐水装置として、その吐止水操作部をシーソー式のスイッチ操作部となしたものが公知である。
図７はその一例を示している。
同図において２００は吐水口で、２０２はその吐水口２００からの吐水と止水とを行うための吐止水操作部で、この吐止水操作部２０２はシーソー式のスイッチ操作部として構成してある。
【０００３】
この吐水装置の場合、吐止水操作部２０２の一方の端部２０２ａを押込操作すると吐水口２００からの吐水が行われ、また反対側の端部２０２ｂを押込操作することで吐水口２００からの吐水停止、即ち止水が行われる。
【０００４】
具体的にはこの吐水装置の場合、主水路２０４上にダイヤフラム弁から成る主弁２０６が設けられていて、その主弁２０６の背面側に背圧室２０８が形成されている。
主弁２０６は、図７（Ａ）に示すように通常はその背圧室２０８内の水圧によって弁座２１０に着座した状態、即ち閉弁状態に保持される。
【０００５】
背圧室２０８は、パイロット水路２１２によって主水路２０４における主弁２０６の下流部に連通するようになっており、そしてそのパイロット水路２１２が、パイロット弁２１４にて開閉されるようになっている。
【０００６】
この吐水装置の場合、吐止水操作部２０２における一方の端部２０２ａを押込操作すると、（Ｂ）に示すようにパイロット弁２１４が上方に持ち上がってパイロット水路２１２が連通した状態、即ち背圧室２０８が主水路２０４、詳しくは主水路２０４における主弁２０６の下流部と連通した状態となって、背圧室２０８内の水が主水路２０４へと流出し、背圧室２０８内の水圧による主弁２０６の閉弁方向への押圧作用が解除される。
これにより主弁２０６が、主水路２０４の給水圧によって開弁作動し、ここにおいて主水路２０４を通じて水が吐水口２００から外部に吐水される。
【０００７】
一方端部２０２ａとは反対側の端部２０２ｂを押込操作すると、（Ａ）に示すようにパイロット弁２１４が下向きに押し込まれてパイロット水路２１２が遮断状態となり、ここにおいて主水路２０４の水が主弁２０６の貫通の小孔（図示省略）を通じて背圧室２０８内に流入して背圧室２０８内の水圧が高まり、そしてその水圧により主弁２０６が閉弁作動して吐水口２００からの吐水が停止する。
【０００８】
この吐水装置の場合、吐止水操作部２０２がシーソー式のスイッチ操作部として構成してあることから、単にこれを押込操作するだけで吐水と止水とを行うことができ、利便性が高い特長がある。
【０００９】
図８は本出願人の提案に係る別種の吐水装置を示したもので、この吐水装置２１５も同様のシーソー式のスイッチ操作部として吐止水操作部２０２を有している。
この吐水装置２１５は本体ボデー２１６を有していて、その本体ボデー２１６の図中上側の端部にシーソー式のスイッチ操作部として吐止水操作部２０２が設けられ、また反対側において本体ボデー２１６に吐水口２００，主水路２０４，吐水口２００への給水用の配管の接続口２０５等が設けられている。
【００１０】
本体ボデー２１６にはまた、吐止水操作部２０２側においてパイロット弁２１４が設けられている。
尚、図中２１８は主弁２０６に設けられた貫通の小孔で、この小孔２１８を通じて、主水路２０４内の水が背圧室２０８内へと少量ずつ導入される。
【００１１】
【発明が解決しようとする課題】
この吐水装置２１５は、例えば浴室の洗い場の壁に取り付けられて（このとき吐水口２００が下向きとなる状態で取り付けられる）使用される。
具体的には、吐止水操作部２０２が室内側に露出する状態で、また本体ボデー２１６を含む他の部分が壁の裏側に隠れる状態で洗い場の壁等に取り付けられて使用されるが、図８に示す形態の吐水装置２１５の場合、吐止水操作部２０２及び吐水口２００が本体ボデー２１６に固定的に一体的に設けられていることから、設置現場の状況等に応じて、吐止水操作部２０２或いは吐水口２００を適正な向きに取り付けることが困難であったり実質的にできない場合があるといった問題が生じていた。
【００１２】
例えば吐水装置２１５の設置現場の配管の状況や、取付部の位置や形状等に合せて吐水口２００の向きを適正に定めたとき、これに伴ってその吐止水操作部２０２の向きが自動的に定まってしまって、これを適正な向きに配置することができず、使い勝手が必ずしも十分でないといった問題が生じていた。
【００１３】
この場合においてパイロット水路２１２を可撓性のチューブで構成して、本体ボデー２１６における吐水口２００側の部分と吐止水操作部２０２側の部分とを、その可撓性のチューブにて連絡するように吐水装置２１５を構成すれば、その可撓性のチューブの可撓性を利用して吐止水操作部２０２の向きを調節することも可能である。
しかしながらそのように吐水装置２１５を構成すると、吐水装置２１５の構造が複雑となり、吐水装置２１５の組付けに際して可撓性チューブをそれぞれ相手側の部材に接続したりしなければならず、また取扱性も悪化し、更にはまた場合によって可撓性チューブが外部に露出したりして美観を損ねるなど様々な問題が発生する。
【００１４】
以上吐止水操作部がシーソー式の操作部として構成された吐水装置を例として説明したが、この問題は他の形態の吐止水操作部を有する吐水装置においても生じ得る問題である。
【００１５】
【課題を解決するための手段】
本発明の吐水装置はこのような課題を解決するために案出されたものである。
而して請求項１のものは、本体ボデーと、該本体ボデーに設けられた吐止水操作部と、該吐止水操作部とは反対側において該本体ボデーに設けられた吐水口とを有し、該本体ボデーには該吐水口に連通する主水路と、該主水路を開閉する主弁と、該主弁を水圧により閉弁方向に押圧するための背圧室と、該背圧室と前記主水路の前記主弁の下流部とを連通させる該主弁操作用のパイロット水路とが内部に設けられているとともに該パイロット水路を開閉するパイロット弁が設けられており、前記吐止水操作部による該パイロット弁の開閉操作により前記吐水口からの吐水と止水とを行う吐水装置において、前記本体ボデーを、前記吐止水操作部側の第１分割体と前記吐水口側の第２分割体とに分割した上で、それら第１分割体及び第２分割体を前記パイロット水路の連通を確保しつつ相対的に回転可能となしたことを特徴とする。
【００１６】
請求項２のものは、請求項１において、前記吐水口と同じ前記第２分割体の側に該吐水口への給水用の配管の接続口が設けてあることを特徴とする。
【００１７】
請求項３のものは、請求項１，２の何れかにおいて、前記本体ボデーにおける前記吐水口側の第２分割体に前記主水路が、前記吐止水操作部側の第１分割体に前記パイロット弁が設けてあって、前記パイロット水路が該第１分割体と第２分割体とにまたがって形成されており、且つ該パイロット水路の前記第１分割体側の水路部分と前記第２分割体側の水路部分とが該第１分割体，第２分割体の分割面でそれぞれ開口していて該開口部で接続されているとともに、少なくとも何れか一方の開口が周方向に連続した周溝となしてあることを特徴とする。
【００１８】
請求項４のものは、請求項３において、前記周溝が円周溝であることを特徴とする。
【００１９】
請求項５のものは、請求項１〜４の何れかにおいて、前記パイロット水路が前記本体ボデーに形成した凹部にて形成してあることを特徴とする。
【００２０】
請求項６のものは、請求項１〜５の何れかにおいて、前記吐止水操作部が押込式のスイッチ操作部として構成してあることを特徴とする。
【００２１】
請求項７のものは、請求項６において、前記吐止水操作部が、互いに反対側の端部を押込操作することで吐水操作と止水操作とを行うシーソー式のスイッチ操作部となしてあることを特徴とする。
【００２２】
【作用及び発明の効果】
以上のように請求項１のものは、パイロット水路の連通を確保しつつ本体ボデーを吐止水操作部側の第１分割体と、吐水口側の第２分割体とに分割した上で、それらを相対的に回転可能となしたもので、この請求項１の吐水装置にあっては、設置現場の状況に応じて吐水口の向きを適正な向きに配置しつつ、併せて吐止水操作部を操作性の良好な適正な向きに配置することが可能となり、吐水装置の美観及び使い勝手を良好となすことができる。
【００２３】
またこの吐水装置においては、本体ボデーの内部に主水路と、主弁と、背圧室と、パイロット水路とが設けてあるため、パイロット水路を構成するための可撓性のチューブが外部に露出して美観を損ねたり、吐水装置の組付けに際して可撓性のチューブの接続を必要とするといった問題を解消できる利点を有する。
【００２４】
ここで上記本体ボデーにおける吐水口側の分割体即ち第２分割体の側に、吐水口への給水用の配管の接続口を設けておくことができる（請求項２）。
【００２５】
また本発明においては、吐水口側の第２分割体に主水路を設け、また吐止水操作部側の第１分割体にパイロット弁を設けて、それら第１分割体と第２分割体とにまたがってパイロット水路を形成しておくことができる。
その際、第１分割体側の水路部分と第２分割体側の水路部分とを、分割面で開口させて、その開口で接続するとともに、その開口の少なくとも何れか一方を周方向に連続した周溝となしておくことができる（請求項３）。
このようにすることで、第１分割体及び第２分割体を相対的に回転させた場合においても、その周溝によってパイロット水路の連通を容易に確保することができる。
【００２６】
この場合においてその周溝は、周方向に環状をなす円周溝となすことができる（請求項４）。
このようになした場合、第１分割体と第２分割体とをパイロット水路の連通を確保しつつ３６０°まで相対的に回転させることができる。
【００２７】
上記パイロット水路は、本体ボデーに形成した凹部にて構成することができ（請求項５）、また上記吐止水操作部は押込式のスイッチ操作部として構成することができる（請求項６）。
【００２８】
さらにこの場合において、その吐止水操作部をシーソー式のスイッチ操作部となしておくことができる（請求項７）。
このようにすることで、ワンタッチ操作で簡単に吐水口からの吐水と止水とを行うことができ、吐水装置の操作が容易となる利点が得られる。
【００２９】
【実施例】
次に本発明の実施例を図面に基づいて詳しく説明する。
図１において、１０は本例のワンタッチ操作式の吐水装置で本体ボデー１２を有している。
この本体ボデー１２の図中上側の端部には吐止水操作部１６が設けられ、また反対側の端部には吐水口２２が設けられている。
【００３０】
本体ボデー１２にはまた、給水用の配管の接続口２３が設けられていて、そこに配管が接続され、かかる配管からの給水が本体ボデー１２内部に設けられた主水路２４にて吐水口２２へと導かれるようになっている。
【００３１】
この主水路２４上には、これを開閉するためのダイヤフラム弁からなる主弁２６が設けられている。
主水路２４は、この主弁２６が弁座２７に着座することで遮断、即ちその上流側水路２４ａと下流側水路２４ｂとが遮断され、また主弁２６が弁座２７から図中上向きに離間することで主水路２４が連通、即ち上流側水路２４ａと下流側水路２４ｂとが連通するようになっている。
【００３２】
主弁２６の背面側（図中上面側）には背圧室２８が形成されている。
主弁２６は、通常はこの背圧室２８内の圧力（水圧）にて図中下向きに押圧され、弁座２７に着座した状態に保持される。即ち主弁２６はこの背圧室２８の圧力によって通常閉弁状態に保持される。
【００３３】
この背圧室２８からは、主弁２６操作用のパイロット水路３０が延び出しており、その先端が主水路２４における下流側水路２４ｂで開口している。
本体ボデー１２にはまた、このパイロット水路３０上においてプランジャ式のパイロット弁３２が設けられており、このパイロット弁３２が弁座３４に着座することで、パイロット水路３０が遮断され、またパイロット弁３２が図中上向きに弁座３４から離間することで、パイロット水路３０の遮断状態が解除されるようになっている。即ちパイロット水路３０が連通するようになっている。
【００３４】
而してこのようにパイロット弁３２の開弁作動によってパイロット水路３０が連通状態になると、背圧室２８内の水がパイロット水路３０を通じて主水路２４へと流入し、これにより背圧室２８内の圧力が減少して主弁２６が主水路２４の給水圧により開弁作動する。
ここにおいて主水路２４が開放状態となって、配管を通じ供給された水が吐水口２２へと送られ、続いて吐水口２２から外部へ吐水される。
【００３５】
上記吐止水操作部１６はスイッチ式、詳しくはシーソー式のスイッチ操作部であって、底部にプレート３６が取り付けてあり、そのプレート３６において固定部材３８により本体ボデー１２に取付固定されている。
【００３６】
図５に示しているように、この固定部材３８は前板４０と、一対の側板４２と、底板４４とを有しており、そしてその前板４０の上端部に一対の掛止部４６が、また一対の側板４２のそれぞれに、吐止水操作部１６をプレート３６において揺動可能に支持するためのくの字状の切欠部４８が形成されている。
一方プレート３６には、一対の段付形状の当接部５０が形成されており、それら当接部５０が固定部材３８の切欠部４８に当接させられている。
【００３７】
そしてその状態でプレート３６に形成された一対の掛止穴５２に、一対のコイルスプリング５４の一端のフック部５６が掛止されている。
これらコイルスプリング５４の他端のフック部５６は、上記固定部材３８の掛止部４６に掛止されており、これらコイルスプリング５４の引張力により、プレート３６が当接部５０を切欠部４８に当接させた状態で固定部材３８により揺動可能に保持されている。即ち吐止水操作部１６が、プレート３６において固定部材３８により揺動可能に保持されている。
【００３８】
尚、固定部材３８は底板４４において、図１に示しているように雄ねじ５８により本体ボデー１２に取付固定されている。
図１に示しているように、本体ボデー１２にはスリーブ６０が取り付けられており、そのスリーブ６０の内部に上記パイロット弁３２が摺動可能に保持されている。
このパイロット弁３２にはＴ字状の頭部６２が設けられている（図５参照）。
一方プレート３６には、図５に示しているようにフォーク部６４が設けられており、このフォーク部６４により頭部６２が図中上方に持ち上げられることで、パイロット弁３２が開弁作動し、またフォーク部６４によりパイロット弁３２の本体部分が下向きに押されることで、パイロット弁３２が閉弁作動する。
【００３９】
本例の吐止水操作部１６の場合、図６（Ｉ）に示しているように吐止水操作部１６の図中左側の端部１６ｂを下向きに押込操作すると、吐止水操作部１６が固定部材３８の切欠部４８に当接した状態のプレート３６の当接部５０を支点として、図６中反時計回りに回転運動する。
その過程で一対のコイルスプリング５４が一旦伸長した後に再び収縮運動し、その収縮力に基づいて吐止水操作部１６が図６（Ｉ）に示す状態に安定的に保持される。
【００４０】
また一方吐止水操作部１６の図中右側の端部１６ａを下向きに押込操作すると、吐止水操作部１６がプレート３６の当接部５０を支点として、今度は上記と逆方向の時計回りに回転運動する。
そしてその過程でコイルスプリング５４が一旦伸長した後に再び収縮運動し、その収縮力により吐止水操作部１６が図６（II）に示す状態に安定的に保持される。
【００４１】
而して図６（Ｉ）に示す状態では、パイロット弁３２がプレート３６のフォーク部６４により下向きに押されて閉弁作動し、パイロット水路３０を閉鎖（遮断）する。
これにより主弁２６が閉弁作動して主水路２４が閉鎖（遮断）され、吐水口２２からの吐水が停止される。
【００４２】
また一方図６（II）の状態では、パイロット弁３２がフォーク部６４により頭部６２を上方に持ち上げられて開弁作動し、パイロット水路３０を開放する。
これに伴って主弁２６が開弁作動して主水路２４が開放され、その主水路２４を通じて送られて来た水が吐水口２２から外部に吐水される。
【００４３】
図１〜図４に示しているように、上記本体ボデー１２は吐止水操作部１６側の第１分割体１２−１と、吐水口２２及び接続口２３側の第２分割体１２−２とに２分割されていて、それら第１分割体１２−１と第２分割体１２−２とが、それらの分割面で相対的に回転可能に連結されている。
ここで第１分割体１２−１と第２分割体１２−２とは、その分割面がパイロット水路３０を横切るように分割されている。
【００４４】
而してパイロット水路３０における第２分割体１２−２側の水路部分３０−２、及び第１分割体１２−１側の水路部分３０−１はそれぞれその分割面で開口しており、それら水路部分３０−２及び３０−１が互いにその開口部分で接続されている。
而して第２分割体１２−２側の水路部分３０−２は部分的に、詳しくは分割面での開口が全周に亘って円周溝３１とされている。
【００４５】
また一方、この水路部分３０−２に対応する第１分割体１２−１側の水路部分３０−１、詳しくはパイロット弁３２より下流側の部分が周方向に連続した円周溝３３とされており、それら円周溝３１，３３を合せるようにして第１分割体１２−１と第２分割体１２−２とが分割面で相対的に回転可能に連結されている。
従ってこの例の吐水装置１０の場合、第１分割体１２−１と第２分割体１２−２とを相対的に回転させた場合においても常にパイロット水路３０は連通状態に保持される。
【００４６】
本例の吐水装置１０では、パイロット水路３０の連通を確保しつつ本体ボデー１２を吐止水操作部１６側の第１分割体１２−１と吐水口２２側の第２分割体１２−２とに分割した上で、それらを相対的に回転可能となしてあるので、設置現場の状況に応じて吐水口２２の向きを適正な向きに配置しつつ、併せて吐止水操作部１６を操作性の良好な適正な向きに配置することが可能となり、吐水装置１０の美観及び使い勝手を良好となすことができる。
【００４７】
またこの吐水装置１０においては、本体ボデー１２の内部に主水路２４と、主弁２６と、背圧室２８と、パイロット水路３０とを設けてあるため、パイロット水路３０を構成するための可撓性のチューブが外部に露出して美観を損ねたり、吐水装置１０の組付けに際して可撓性のチューブの接続を必要とするといった問題を解消できる。
【００４８】
更に吐止水操作部１６をシーソー式のスイッチ操作部となしてあるので、ワンタッチ操作で簡単に吐水口２２からの吐水と止水とを行うことができ、吐水装置１０の操作が容易となる。
【００４９】
以上本発明の実施例を詳述したがこれはあくまで一例示であり、本発明はその主旨を逸脱しない範囲において種々変更を加えた形態で構成可能である。
【図面の簡単な説明】
【図１】本発明の一実施例である吐水装置の断面図である。
【図２】同実施例の吐水装置の平面図である。
【図３】同実施例の吐水装置を各部材に分解して示す断面図である。
【図４】同実施例の吐水装置を各部材に分解して示す斜視図である。
【図５】同実施例における吐止水操作部の一部とその周辺部を示す図である。
【図６】同実施例の吐水装置における吐止水操作部の作用説明図である。
【図７】吐止水操作部としてシーソー式のスイッチ操作部を有する吐水装置の従来の一例を示す図である。
【図８】本出願人の提案に係る吐水装置の一例を示す図である。
【符号の説明】
１０  吐水装置
１２  本体ボデー
１２−１  第１分割体
１２−２  第２分割体
１６  吐止水操作部
２２  吐水口
２３  接続口
２４  主水路
２６  主弁
２８  背圧室
３０  パイロット水路
３０−１，３０−２  水路部分
３１，３３  円周溝
３２  パイロット弁
【図１】
0003930745.tif 000002
【図２】
0003930745.tif 000003
【図３】
0003930745.tif 000004
【図４】
0003930745.tif 000005
【図５】
0003930745.tif 000006
【図６】
0003930745.tif 000007
【図７】
0003930745.tif 000008
【図８】
0003930745.tif 000009